(57)【要約】 【課題】  視聴者が受信中の番組に容易に参加できることを可能とする双方向番組放送システムを提供する。【解決手段】  双方向の通信網に各視聴者が通信端末装置を接続し、該通信端末装置のディスプレイ上に自らの映像に加えて他の視聴者の映像や音響信号を互いに多画面で視聴できる音声映像伝送システムを用いて放送を行う場合において、番組構成のための素材をネットワークで接続された複数の通信端末装置や素材提供用サーバに蓄積し、番組進行に応じてその素材を他の通信端末装置に送信し、番組を受信する該通信端末装置上で他の通信端末装置や素材提供用サーバより受信した素材を組み合わせることによる視聴者映像参加型番組放送システム。【選択図】  図１
2005191968.tif 000002
【特許請求の範囲】
【請求項１】
双方向の通信網に各視聴者が通信端末装置を接続し、その通信端末装置のディスプレイ上に自らの映像に加えて他の視聴者の映像や音響信号を互いに多画面で視聴できる音声映像伝送システムを用いて放送を行う場合において、番組構成のための素材をネットワークで接続された複数の通信端末装置や素材提供用サーバに蓄積し、番組の進行に応じてその素材を他の通信端末装置に送信し、番組を受信する通信端末装置上で他の通信端末装置や素材提供用サーバより受信した素材を組み合わせることで番組を構成することを特徴とした視聴者映像参加型番組放送システム。
【請求項２】
請求項１の該視聴者映像参加型番組放送システム上で稼動し、各視聴者が放送局の開局者（情報発信者）となることができ、その際に作成する番組進行表を用いて番組を定義し、その番組進行表を番組の視聴を希望する通信端末装置に配布することにより、通信端末装置が番組進行表に従って受信した素材の映像・音声信号を遷移し、番組を構成することを特徴とする視聴者映像参加型番組放送システム。
【請求項３】
請求項２の視聴者映像参加型番組放送システムにおいて、番組の開局者は番組進行中に番組進行表を変更し番組の視聴者に配布することで、番組の進行を変更することが可能であることを
特徴とする視聴者映像参加型番組放送システム。
【請求項４】
請求項３の視聴者映像参加型番組放送システムにおいて、番組の開局者は番組進行中に番組進行表を変更し、番組の視聴者を番組に参加させることが可能であることを特徴とする視聴者映像参加型番組放送システム。
【請求項５】
請求項３の視聴者映像参加型番組放送システムにおいて、番組の視聴者は番組進行中に番組を構成する素材を選ぶことにより、その素材の詳細情報を入手し、また素材の加工ができることを特徴とする視聴者映像参加型番組放送システム。
【請求項６】
請求項１〜５を実施するソフトウェアプログラムを備え、ディスプレイ、スピーカ、マイクロホン、ビデオカメラ、ネットワーク接続インターフェース、メモリ、記憶装置、演算装置とから成る視聴者映像参加型番組通信装置。
【請求項７】
請求項１〜５を実施するソフトウェアプログラムを備えた管理サーバ。
【請求項８】
請求項１〜５を実施するソフトウェアプログラムを備えた素材サーバ。
【発明の詳細な説明】
【技術分野】
【０００１】
この発明は、視聴者が番組を作成発信可能な双方向放送システムに関し、さらに詳しくは、番組の発信者は、容易に番組の構成を変更可能であり、また、視聴者が受信中の番組に容易に参加できることを可能とする双方向番組放送システムに関する。
【背景技術】
【０００２】
ＴＶ番組には、クイズ番組やカラオケ大会番組など視聴者が参加する番組が知られている。これらの番組の視聴者には、視聴するのみでなく参加者として番組に出演したい要望があり、これらの番組はその要望に応えることで成り立っている。さらには、同じ趣味や興味を有する視聴者間で独自の番組を作成・放送し、参加したいとの要望も多い。
【０００３】
しかし、視聴者がこれらの番組に参加するためには、放送局や番組中継会場に出向く必要があり、番組視聴において、気軽に参加することができない問題点があった。さらに番組作成については、放送局の準備や番組中継会場の準備などで莫大な費用が必要となり、視聴者が容易に視聴者参加型番組を作成することは困難であった。
【０００４】
これらの問題点を解決する手段として、例えば、
【特許文献１】特開２００２−３６９１７５、
【特許文献２】特開１１−２７６４９が挙げられる。
【０００５】
【特許文献１】特開２００２−３６９１７５に記載された発明は、視聴者映像参加型番組作成システムであり、受信機において映像・音声符号化部を備え、接続するカメラ／マイク７より取り込まれる視聴者の映像・音声を符号化し、双方向通信制御部６を介して放送局側へ送信すると共に、放送局側では、視聴者映像受付部１０にて視聴者から送信される映像・音声符号化データを復号し、放送番組の送出映像・音声を司る調整室１２へ送り、スタジオ映像・音声等と視聴者映像・音声が合成できるようにしたものである。
【０００６】
【特許文献２】特開１１−２７６４９に記載された発明は、テレビ放送システム及びそれに用いられる番組作成方法であり、番組コンテンツ作成用素材と番組コンテンツとを記憶する番組作成部を放送局に設け、テレビチャネル、通信チャネルの少なくとも一方のチャネルによって番組コンテンツ作成用素材を視聴者に配信し、視聴者は放送局から配信された番組コンテンツ作成用素材を用いて番組コンテンツを作成し、通信チャネルによって放送局に送出するものである。
【発明の開示】
【発明が解決しようとする課題】
【０００７】
しかし、これら従来の技術では、番組作成者は放送局などの専用の設備を必要とし、特許文献２に開示された視聴者による番組作成方法において、視聴者が番組作成をできるとしても放送局から配信された番組コンテンツを必要とし、さらに作成された番組の発信では放送するための設備を必要とするため、視聴者が独自に視聴者参加型番組を作成し、発信することが困難であった。
【０００８】
すなわち視聴者が独自に視聴者参加型の双方向番組を作成・発信し、またその番組に容易に参加できる双方向放送システムは未だ実現されていない現状である。
【課題を解決するための手段】
【０００９】
この発明は、前述の課題を解決するものであり、その第１要旨は、双方向の通信網に各視聴者が通信端末装置を接続し、その通信端末装置のディスプレイ上に自らの映像に加えて他の視聴者の映像や音響信号を互いに多画面で視聴できる音声映像伝送システムを用いて放送を行う場合において、番組構成のための素材をネットワークで接続された複数の通信端末装置や素材提供用サーバに蓄積し、番組の進行に応じてその素材を他の通信端末装置に送信し、番組を受信する通信端末装置上で他の通信端末装置や素材提供用サーバより受信した素材を組み合わせることで番組を構成することにより、専用の番組を放送するための設備を必要としない利点がある。
【００１０】
その第２要旨は、第１要旨の該視聴者映像参加型番組放送システム上で稼動し、各視聴者が放送局の開局者（情報発信者）となることができ、その際に作成する番組進行表を用いて番組を定義し、その番組進行表を番組の視聴を希望する通信端末装置に配布することにより、通信端末装置が番組進行表に従って受信した素材の映像・音声信号を遷移し、番組を構成することにより、番組作成が容易にできることを特徴とするものである。
【００１１】
その第３要旨は、第２要旨の視聴者映像参加型番組放送システムにおいて、番組の開局者は番組進行中に番組進行表を変更し番組の視聴者に配布することで、番組の進行を変更することが可能であることにより、番組の進行中に容易に番組の内容を変更できることを特徴とするものである。
【００１２】
その第４要旨は、第３要旨の視聴者映像参加型番組放送システムにおいて、番組の開局者は番組進行中に番組進行表を変更し、番組の視聴者を番組に参加させることが可能であることにより、容易に視聴者が番組に参加できることを特徴とするものである。
【００１３】
その第５要旨は、第３要旨の視聴者映像参加型番組放送システムにおいて、番組の視聴者は番組進行中に番組を構成する素材を選ぶことにより、その素材の詳細情報を入手し、また素材の加工ができることにより、番組の視聴者が受信する番組の映像・音声を好みに応じて変更することが可能であることを特徴とするものである。
【００１４】
その第６要旨は、第１〜５要旨を実施するソフトウェアプログラムを備え、ディスプレイ、スピーカ、マイクロホン、ビデオカメラ、ネットワーク接続インターフェース、メモリ、記憶装置、演算装置とから成る視聴者映像参加型番組通信装置を用いることにより、利用者が容易に番組の発信・受信が可能となることを特徴とするものである。
【００１５】
その第７要旨は、第１〜５要旨を実施するソフトウェアプログラムを備えた管理サーバを用いることにより、利用者が容易に番組の作成・登録・受信・操作を行うことが可能となることを特徴とするものである。
【００１６】
その第８要旨は、第１〜５要旨を実施するソフトウェアプログラムを備えた素材サーバを用いることにより、利用者が番組の受信において、番組に必要な素材を容易に集めることが可能となることを特徴とするものである。
【発明の効果】
【００１７】
前述の通り、請求項１記載の、視聴者映像参加型番組放送システムによれば、双方向の通信網に各視聴者が通信端末装置を接続し、その通信端末装置のディスプレイ上に自らの映像に加えて他の視聴者の映像や音響信号を互いに多画面で視聴でき、かつ番組構成のための素材をネットワークで接続された複数の通信端末装置や素材提供用サーバより入手し、番組を受信する通信端末装置上でこれらの素材を組み合わせることで番組を構成することにより、利用者が容易に、視聴者参加型
番組を作成・発信できる。
【００１８】
請求項２記載の視聴者映像参加型番組放送システムによれば、視聴者参加型番組の作成・発信をする利用者が、番組進行表を用いて番組を定義し、その番組進行表を番組の視聴を希望する通信端末装置に配布することにより、番組を受信する通信端末装置上で番組の構成・進行を、容易に制御することが可能となる。
【００１９】
請求項３記載の視聴者映像参加型番組放送システムによれば、番組の作成・発信をする利用者は番組進行中において、番組進行表を変更し番組の視聴者に配布することにより、番組の進行を、容易に変更することが可能となる。
【００２０】
請求項４記載の視聴者映像参加型番組放送システムによれば、番組の作成・発信をする利用者は番組進行中において、番組進行表を変更することにより、容易に番組の視聴者を番組に参加させることが可能となる。
【００２１】
請求項５記載の視聴者映像参加型番組放送システムによれば、番組の視聴者は、番組進行中に、番組進行表の内容を確認し、番組を構成する素材を選ぶことにより、その素材の詳細情報を入手し、また素材の加工ができる。
【発明を実施するための最良の形態】
【００２２】
この発明は、双方向の通信網に各視聴者が通信端末装置を接続し、その通信端末装置のディスプレイ上に自らの映像に加えて他の視聴者の映像や音響信号を互いに多画面で視聴できる音声映像伝送システムを用いて放送を行う場合において、番組構成のための素材をネットワークで接続された複数の通信端末装置や素材提供用サーバに蓄積し、番組の進行に応じてその素材を他の通信端末装置に送信し、番組を受信する通信端末装置上で他の通信端末装置や素材提供用サーバより受信した素材を組み合わせることによる視聴者映像参加型番組放送システムであり、例えば、従来とは異なり、専用の放送設備等を必要とせずに、双方向番組放送が可能となる。
【実施例】
【００２３】
以下この発明の好適な実施例を図面に基づいて説明する。図１は、この発明を実現するためのシステム構成図である。この発明が適用された視聴者が番組を発信可能な双方向放送システムに使用される参加型番組通信装置１４は、中継装置１５によりブロードバンド回線１６を介して通信網１０に接続される。
【００２４】
該通信網１０は、インターネットや広域LANなどの広域ネットワークであり、複数の参加型番組通信装置１４により送受信される情報が交換される。該ブロードバンド回線１６は、該通信網１０に接続する手段としてFTTH回線、DSL回線、無線・有線ケーブル、携帯電話の基地局などがある。また、これらのブロードバンド回線１６と参加型番組通信装置１４を接続するために中継装置１５が設置され、該中継装置１５には、ルータ・ファイアウオールやモデム・ルータ、LANなどが用いられる。
【００２５】
また、該参加型番組通信装置１４には、図２に示すとおり、利用者の映像や音声を入力するためのビデオカメラ３９やマイクロホン４６が接続されているとともに、番組の音声や映像を受信するためのスピーカ４３やＴＶモニタ３６が接続されている。また、これらの参加型番組通信装置１４の機能を有する携帯電話２０で行うことも可能である。
【００２６】
該参加型番組通信装置１４の使用形態として、中継装置１５にルータを用いた事業所内利用形態１１ａやモデムを用いた個人宅利用形態１１ｂ、ルータとLANを用いた集合店舗利用形態１１ｃ、携帯電話の基地局と携帯電話を用いた１１ｄなどがあり、それぞれ適切なネットワーク接続方式で利用される。
【００２７】
さらに、この発明の視聴者が番組を発信可能な双方向番組通信システムを実現するため、該通信網１０に情報管理サーバ１２および素材サーバ１８が接続されている。
【００２８】
次に、図２において、参加型番組通信装置１４の構成を説明する。図２は、視聴者が番組を発信可能な双方向放送システムに使用する参加型番組通信装置の構成を示すブロック図である。該参加型番組通信装置１４は、ＣＰＵ２２、ＲＯＭ２４、ＲＡＭ２６、ＨＤＤ２８、ネットワークインタフェース３０、コネクタ３１を備え、これら機器にＴＶモニタ３６を有する映像出力部３５、ビデオカメラ３９を有するビデオキャプチャ３８、スピーカ４３を有する音声出力部４１、音楽を演奏する音源部４２、マイクロホン４６を有する音声入力部４５、リモコン４９からの制御信号により各種の情報入力や選択操作をするリモコン入力部４８を備える。
【００２９】
図２の該ネットワークインタフェース３０は、該コネクタ３１により図１に示す該中継装置１５に接続され、ブロードバンド回線１６を介して、ビデオカメラ３９やマイクロホン４６より入力された利用者の映像や音声を該通信網１０に送出するとともに、映像・音声信号を受信し、該映像出力部３５を介して接続された該TVモニタ３６および該音声出力部４１を介して接続された該スピーカ４３に出力する。
【００３０】
また、該ＣＰＵ２２は、該ネットワークインタフェース３０よりの信号を解釈し、必要に応じて該ＨＤＤ２８より音楽データを取り出し、該音源部４２により音楽を再生し、該音声出力部４１を介して該スピーカ４３により音楽を再生する。
【００３１】
次に、図３において、この発明を実現するためのシステムを構成する装置の概略の機能とその装置間において交換される情報について、説明する。
【００３２】
まず、参加型番組通信装置１４は、番組の発信者や受信者が利用する装置であり、番組発信者が利用する場合の参加型番組通信装置１４aは、番組の進行を制御する番組進行表２００を作成し、情報管理サーバ１２の番組DB２０１に登録する。  また、番組を受信する場合の参加型番組通信装置１４ｂは、情報管理サーバ１２の番組ＤＢ２０１より、番組進行表２００を入手し、番組受信時に、入手した番組進行表２００に従い番組を構成する。
【００３３】
情報管理サーバ１２は、ＣＰＵ、ＲＯＭ、ＲＡＭ、ＨＤＤ、ネットワークインタフェースにより構成されるサーバであり、参加型番組通信装置から登録される番組進行表２００を記憶する番組ＤＢ２０１を有する。また番組発信者が参加型番組通信装置で番組を作成する際に使用する番組進行表２００の雛形を記憶する番組進行表雛形ＤＢ２０２を有する。さらに、番組進行表２００を作成する際に使用する番組素材の所在や概要である素材インデックスの一覧を記憶する素材インデックスリストＤＢ２０３と番組の受信者の情報を記憶する参加者リストＤＢ２０４により構成される。
【００３４】
該素材サーバ１８は、ＣＰＵ、ＲＯＭ、ＲＡＭ、ＨＤＤ、ネットワークインタフェースにより構成されるサーバであり、参加型番組通信装置１４が番組を構成する際に使用する映像音声素材を記憶する素材ＤＢ２０６とその素材の名称や概要を示す素材インデックス情報を記憶する素材インデックスＤＢ２０７を有する。該素材サーバ１８は、映像音声素材が素材ＤＢ２０６に登録された際に、素材インデックス情報を素材インデックスＤＢ２０７に登録されると共に、通信網１０を介して情報管理サーバ１２に素材インデックス情報を伝える。情報管理サーバ１２は、該素材サーバ１８の識別情報と共に受信した素材インデックス情報を素材インデックスリストＤＢ２０３に登録する。
【００３５】
さらに、参加型番組通信装置１４cが該素材サーバ１８の機能を有することも可能であり、番組参加者が提供する映像音声素材を番組に使用することも可能である。
【００３６】
次に、図４、図５、図６を用いて、本システムを構成する装置の機能の詳細を説明する。
図４は、この発明の参加型番組通信装置１４の動作を示す機能ブロック線図である。該参加型番組通信装置１４の番組作成機能と番組参加機能について説明する。まず、該参加型番組通信装置１４は、利用形態選択手段５１を有し、該参加型番組通信装置１４の利用者は番組を登録・作成して発信する番組発信者となるか、提供された番組を視聴し、番組の進行に応じてその番組に参加できる番組視聴者となるかを選択することができる。
【００３７】
該利用形態選択手段５１は、番組発信者となる場合に使用する番組進行表作成手段５３を有する番組登録手段５２と、番組放送開始時に番組発信者が使用する番組進行表更新手段５６および番組進行表送信手段５５を有する番組進行手段５４とを有し、且つ番組発信者が他の番組の受信者に番組への参加を促す番組参加者募集手段５７と参加の意思を確認する参加確認手段５８とを有する。
【００３８】
また、利用形態選択手段５１には、番組の受信者が使用する番組検索手段６０とその結果を登録する番組予約手段６１を有する。なお本システムにおいて、利用者が参加型番組通信装置１４の利用を開始した際に、すでに番組が放送されている場合には、利用形態選択手段５１から番組受信手段６３が接続されており番組受信をする。番組受信において、参加型番組通信装置１４に予め記録された番組進行表を取り出し、番組進行表解析手段６４を用いて番組進行表を解析し、番組映像音声構成手段７７により、番組を構成する。
【００３９】
また、番組進行表解析手段６４は番組進行表受信手段６２を用いて、常に新しい番組進行表を入手して番組受信手段６３を更新し、番組の進行を制御する。番組進行表解析手段６４は、使用する素材を素材選択手段７６に伝え、素材選択手段７６は素材請求手段７２および素材請求応答手段７３により、通信手段６８を用いて該素材サーバ１８と交信し、使用する素材データを要求する。
【００４０】
番組映像音声構成手段７７は、素材サーバから送信された素材データを、通信手段６８を用いて素材受信手段７４で受信し、また、図２のビデオカメラ３９およびマイクロホン４６に該当する映像入力手段７９および音声入力手段７８で入力した参加型番組通信装置１４を使用する利用者の映像音声を素材データ送信手段７５により、通信手段６８を用いて他の参加型番組通信装置１４に送出すると共に、素材受信手段７４を介して、図１のＴＶモニタ３６およびスピーカ４３に該当する映像出力手段７１と音声出力手段７０により、映像音声として出力する。これにより、番組進行表に応じた番組の画面音声の進行による番組が実現する。
【００４１】
なお、番組の発信者は、番組の作成において予め番組進行表を作成し番組の登録を行うため、番組登録手段５２を用いて、番組進行表雛形データを情報管理サーバ１２より入手する。番組進行表作成手段５３により番組進行表の作成を行った後に番組進行表送信手段５５により、情報管理サーバ１２に番組進行表を送信する。番組の放送が開始すると、番組の発信者は番組進行手段５４により、番組の進行を制御する。番組の進行において、番組発信者は番組進行手段５４を用いて、番組進行表を管理し、必要に応じ番組進行表更新手段５６により番組進行表を更新し、番組進行表送信手段５５により、番組進行表を該情報管理サーバ１２に登録する。
【００４２】
番組の送信者は、番組進行手段５４において、番組の視聴者の参加を番組参加者募集手段５７により募集する。一方、番組受信手段６３により番組を視聴する番組受信者は、番組参加応募手段６５により、番組発信者の番組参加募集手段５７からの信号を受信し、参加承諾手段６６により応答信号を送信する。番組発信者は、番組視聴者からの参加承諾手段６６による応答信号を受け、参加確認手段５８により参加を確認し、番組参加手段６７により番組視聴者を番組に参加させる。番組参加手段６７は、番組進行表解析手段６４を制御し、番組視聴者の参加した番組映像音声を構成する。
以上の手段により、参加型番組通信装置１４は、本システムにおいて、視聴者が参加できる番組の送受信を行う。
【００４３】
次に、参加型番組通信装置１４と通信し、番組を管理する情報管理サーバ１２の機能を説明する。図５は該情報管理サーバ１２の機能を説明する機能ブロック線図である。
【００４４】
番組登録手段８０を有する情報管理サーバ１２は、図４の参加型番組通信装置１４の番組進行表送信手段５５により送られた番組進行表を登録する。また、参加型番組通信装置１４が受信する番組を検索するための番組検索手段６０からの番組表示要求の応答として、番組インデックス送信手段８１により、番組の一覧情報を送信する。
【００４５】
また、参加型番組通信装置１４の番組予約手段６１により行われた番組予約操作により、該情報管理サーバ１２は、番組ＤＢ２０１より該当する番組進行表を取り出し、番組進行表送受信８２により、番組進行表を参加型番組通信装置１４に送信する。さらに、情報管理サーバ１２は、視聴者登録手段８３により、視聴を希望する利用者を参加者リストＤＢ２０４に登録する。
【００４６】
加えて、該情報管理サーバ１２は、番組発信者の操作による番組の開始において、視聴者情報送信手段８４により、参加者リストＤＢ２０４よりその番組の視聴者の情報を取り出し、番組発信者の参加型番組通信装置１４に視聴者の情報を送信する。参加型番組通信装置１４は、番組進行手段５４により、参加者リストを表示し、番組参加者募集手段５７により番組参加を募集する。
【００４７】
該情報管理サーバ１２は、該参加型番組通信装置１４に対して番組進行表を作成するための番組進行表雛形送信手段８６を有する。番組進行表雛形は、別途作成され、番組進行表雛形登録手段８５により、番組進行表雛形ＤＢ２０２に登録され、参加型番組通信装置１４からの要求により出力される。
【００４８】
また、情報管理サーバ１２は番組進行表の作成に必要な素材インデックスリスト送信手段８８を有する。本機能により前もって素材インデックスＤＢ２０３に登録された、番組作成に必要な素材のインデックス情報を、参加型番組通信装置１４に送信し、番組作成に使用することが可能となる。なお、素材インデックスの情報は、受信手段８７により素材サーバ１８から受信し、素材インデックスリストDB２０３に登録する。
【００４９】
通信ネットワーク接続手段８９は、番組インデックス送信手段８１、番組進行表送受信手段８２、視聴者情報送信手段８４、番組進行表雛形送信手段８６、素材インデックスリスト送信手段８８、素材インデックス受信手段８７と接続し、該通信網１０との間で信号の送受信を行う。
【００５０】
続いて、該素材サーバ１８の機能を説明する。図６は素材サーバ１８の機能を示す機能ブロック線図である。
【００５１】
該素材サーバ１８には、番組作成において使用される素材を登録する、素材データ登録手段９１を有し、素材DB２０６に素材データを登録する。また、参加型番組通信装置１４にて素材請求手段７２からの信号を受信すると、素材請求応答信号を返すと共に、素材データ送信手段９２により、素材データを送信する。参加型番組通信装置１４は、素材請求応答信号を受け取ると、素材データを素材受信手段７４により受信し、番組を構成する。なお素材サーバ１８は、前もって録画された蓄積型の素材データを送信する他、ライブ映像などのストリーム映像素材の開始情報を素材ＤＢ２０６に登録し、参加型番組通信装置１４の素材請求手段７２からの請求に応じて、リアルタイムで撮影した映像や音声を送信することもできる。
【００５２】
該素材サーバ１８は、素材データ登録手段９２の登録の際に、その素材の概要や関連情報を示す素材インデックス情報登録手段９３を有する。素材インデックス情報は、素材インデックスDB２０７に登録されると共に素材インデックス情報送信手段９４により、情報管理サーバ１２に送信される。
【００５３】
該通信ネットワーク接続手段９５は、素材データ送信手段９２と素材インデックス情報送信手段９４からの情報を通信網１０に送出する。
以上の構成により、視聴者が番組を作成発信可能な双方向放送システムが実現される。
続いて、本システムに使用される機器の動作の一例をフローチャートと画面表示例を用いて、説明する。
【００５４】
図７は、該参加型番組通信装置１４の動作を説明するフローチャートであり、図１０は参加型番組通信装置１４の使用開始時のTVモニタ３６に表示される動作画面の一例である。これらの図を用いて参加型番組通信装置１４の番組選択処理の一例を説明する。
まず、参加型番組通信装置１４は、番組予約の有無を確認する（Ｓ０１）。番組予約が有る場合は、（Ｓ２０）に移行し、番組送信者か視聴者かを判断する（Ｓ２１）。番組送信者となる場合は、番組操作画面１００を表示する（Ｓ３０）。番組受信者の場合は、番組進行表２００を受信し、番組受信画面２１０を表示する。Ｓ０１において、受信予約がない場合は、利用者は、図１０に示すように、該参加型番組通信装置１４のＴＶモニタ３６の画面にて、発信・受信可能な番組の種類を、該情報管理サーバ１２に対して検索する（Ｓ０２）。検索結果には、発信・受信可能な番組の種類が双方向番組サービス一覧メニュー２１０１に表示され、利用者は、所望のサービスを選択する（Ｓ０３）。この結果、該参加型番組通信装置１４の画面上には、番組（発信者）一覧２１０２が表示される（Ｓ０４）。
【００５５】
利用者は、各番組を受信するかどうかを判断し（Ｓ０６）、受信する場合には、番組を選択し、番組受信ボタン２１２０を操作し、番組を受信予約する処理（Ｓ０７）に移行する。利用者は、番組選択時に該当する番組の説明表示２１１３が表示されることで、番組の詳細を知ることができる。図１０の一例では、カラオケ大会の番組を選択した状態が示されている。
番組を送信する場合は、番組作成ボタン２１０２を操作し、番組を作成する処理（Ｓ２２）に移行する。
【００５６】
次に、参加型番組通信装置１４の番組受信・予約処理の例を、図７のフローチャートを用いて示す。該参加型番組通信装置１４の画面上に番組一覧が表示されている状態において、利用者は、番組選択手段２１１１によって、一覧から所望の番組を選択肢、番組受信手段２１２０を用いて受信予約することができる。ここで、該参加型番組通信装置１４では、番組が放送中かどうかの判定を行う（Ｓ０８）。番組放送中を示す手段２１１２によって、放送中であることが明示されている番組の場合は、情報管理サーバ１２から番組進行表２００を取得する処理（Ｓ０９）に移行する。選択した番組が放送中でない場合は、番組進行表２００より取り出した番組ＩＤを記憶し、受信予約する（Ｓ１１）。
【００５７】
続いて、利用者が新しい番組進行表を作成する処理を図７および図１２を用いて示す。まず、利用者が参加型番組通信装置１４上で、番組の番組進行表作成の処理を行うという選択肢を選択すると（Ｓ２２）、番組進行表作成画面１１００が表示される（Ｓ２３）。該番組進行表作成画面１１００上には、番組進行の内容を示す番組進行表２００、映像・音・ナレーション等の素材一覧画面１１２０が存在する。素材一覧画面中の素材情報は、素材インデックス情報として、情報管理サーバ１２から通信網を経由して取得する。番組発信者は、該映像・音・ナレーション等の素材一覧画面１１２０の中から、発信する番組の構成要素として用いる音や映像、ナレーション等の素材を、素材の選択手段１１３０によって選択し、該番組進行表２００中のバー１１５０、１１６０、１１６２として表示する。
【００５８】
このとき、各素材が用いられる時刻は、該番組進行表２００上の時刻表示手段１１１２によって確認することができ、番組発信者は、編集中の画面の中から、編集中時刻の指示手段１２００によって任意時刻からの映像や音、ナレーションの再生を行うことが可能であり、編集中の画面表示手段１２１０によって、内容を確認することができる。
【００５９】
番組進行表の作成終了後、利用者は、番組登録手段１２４０を用いて、該番組進行表２００を情報管理サーバ１２に登録する（Ｓ２４）。登録された番組は、情報管理サーバ１２において、即時放送されるかどうかの判定が行われ（Ｓ２５）、即時放送が行われる場合は、番組発信者の該参加型番組通信装置１４に番組操作画面が表示される（Ｓ３０）。
【００６０】
続いて、利用者が番組を受信し、視聴する処理の実施例を図７のフローチャートおよび図１４，図１５、図１１を用いて説明する。利用者は、最初に情報管理サーバ１２から、ある利用者が予め作成し登録した番組進行表２００を受信する（Ｓ０９）。該番組進行表は、映像素材用のタイムライン領域５５０、音素材用のタイムライン領域５６０、音声ナレーション素材用のタイムライン領域５７０、および番組発信者が参加者募集期間を示すタイムライン領域５９０で構成され、映像、音、ナレーションの素材は、各々タイムライン領域上のバー等１５０、１６０、１６２、１５５で表現される。
【００６１】
利用者側の該参加型番組通信装置１４上では、該番組進行表２００を受信すると、まず、バーに含まれる、通信網上の素材を特定する文字列値または数値５８０によって、通信網上に存在する各素材を取得し、図１１に示されるとおり、番組を構成する（Ｓ１０）。図１１では、カラオケ大会の番組受信画面の一例を示しており、歌唱者の映像２１１および歌唱のための映像２１２、テロップ２１３が表示される。また、番組参加者の一覧２１４と番組の参加登録手段２５５、番組発信者との会話手段２１５が表示される。また、歌唱者の音声や演奏が出力される。利用者は、該番組進行表２００に従った番組の画面構成を変更操作するかどうかの判断をし（Ｓ１２）、変更する場合は、該番組進行表２００の独自設定部分を付加・修正して画面構成を変更できる（Ｓ４０）。具体的には、歌唱者映像２１１の画面の拡大やテロップ表示２１３の消去などが可能である。その後、放送の受信を終了するかどうかの判定し（Ｓ１７）、終了しない場合は、再び該番組進行表２００を受信し（Ｓ０９）、素材を取得して番組を構成する処理を行う（Ｓ１０）。
【００６２】
番組進行表の画面に変更をしない場合、該番組進行表２００において、利用者への番組参加を募集している場合は、図１１において、番組参加登録手段２５５が表示され、番組参加操作を行うことが可能であり、利用者は、番組参加登録手段２５５を用いて、番組への参加を通知できる（Ｓ１３）。番組の参加を希望しない場合は、その他の操作をし（Ｓ４１）、番組の放送が終了するまで（Ｓ１７）、該番組進行表２００を受信し、同様の処理を繰り返す。一方、番組への参加を希望した場合は、番組発信者から、番組への参加承諾を待ち（Ｓ１４）、承諾されると該情報管理サーバ１２上に記録されている登録参加者リスト６１０に、その利用者の名前が付加され、番組に参加可能となり、図１１の参加者一覧画面２１４に表示される（Ｓ１５）。番組の参加に先立ち、番組発信者との会話手段２１５を用いて、番組発信者との会話も可能である。視聴側の利用者は、登録参加者リストの表示手段６００を用いて、該登録参加者リスト６１０を表示できる。該登録参加者リスト６１０には、番組を特定する文字・記号・数値情報６２０と各登録参加者の情報６３０が記録されている。
【００６３】
番組への参加承諾を得た利用者は、番組参加の状態が終了するまで、番組に参加し（Ｓ１６）、参加終了後も、その番組の放送が終了するまで、番組を受信することができる（Ｓ１７）。
【００６４】
続いて、番組発信者が行う処理操作の実施例を図７の主要動作のフローチャートおよび図１３を用いて説明する。まず、番組送信者となる操作を行った利用者の画面には、番組操作画面１００が表示され、番組発信者の立場で番組に参加可能となる（Ｓ３０）。該番組操作画面１００は、番組進行の内容を示す番組進行表２００、映像・音・ナレーション等の素材一覧画面１２０が存在し、番組発信者は、番組進行に応じて、該映像・音・ナレーション等の素材一覧画面１２０の中から、発信する番組の構成要素として用いる音や映像、ナレーション等の素材を、素材の選択手段１３０によって選択し、該番組進行表２００中のバー１５０、１６０、１６２として表示する。
【００６５】
このとき、各素材が用いられる時刻は、該番組進行表２００上の時刻表示手段１１２によって確認することができ、現在放送中の位置は、放送中時刻の指示手段１４０によって示される。また、放送中の画像は、放映中の画面表示手段１７５によって確認できる。また、番組発信者は、編集中の画面の中から、編集中時刻の指示手段１４５によって任意時刻からの映像や音、ナレーションの再生を行うことが可能であり、編集中の画面表示手段１６５によって、内容を確認することができる。
【００６６】
番組発信者は、番組進行により、該番組進行表２００を更新し（Ｓ３１）、更新後に番組登録手段１８５を用いて、情報管理サーバ１２に該番組進行表２００を登録する。その後、番組発信者は、番組に参加可能な利用者を、番組参加者募集手段１９０によって募集することができる（Ｓ３２）。参加者の募集を行う番組の時間帯は、参加者募集時間帯を示す手段１５５によって該番組進行表２００に表示できる。該参加型番組通信装置１４では、利用者からの参加者が有るかどうかの判定し（Ｓ３３）、参加者がある場合は、該映像・音・ナレーション等の素材一覧画面１２０上に、参加を希望する利用者の映像・音・ナレーション等の素材が表示される。番組発信者は、素材の選択手段１３０を選択した上で、他の利用者の番組参加承諾手段１７０および他の利用者の番組参加拒否手段１７２を用いて、番組への参加を承諾あるいは拒否できる（Ｓ３４）。参加者に応じて再び番組発信者は進行表を更新し、番組登録手段１８５を用いて該情報管理サーバ１２に登録する（Ｓ３５）。番組発信者は、番組参加者がいない場合、あるいは放送時間等によって放送を終了するかどうかの判定し（Ｓ３６）、放送を終了しない場合には、引き続き番組の進行に応じて番組進行表を更新し登録していく（Ｓ３１）。以後、この処理を繰り返す。
【００６７】
図８は、情報管理サーバ１２の動作の一例を示すフローチャートである。情報管理サーバ１２の動作を説明する。
該情報管理サーバ１２は通信網１０の信号を監視し、信号受信をする（ＳＡ０１）。信号の受信が否定されるときは、その他の動作を実行し（ＳＡ２７）、再び通信網の信号を監視するが（ＳＡ０１）、信号の受信が肯定されると、その信号が番組インデクス要求か否かが判断する（ＳＡ０２）。番組インデックス要求は、参加型番組通信装置１４のフローチャート図７のＳ０３において指定された番組種類の選択情報を含み、この情報を用いて情報管理サーバ１２は、番組ＤＢ２０１に保存された番組進行表２００より、番組インデックス情報を作成する。作成された番組インデックス情報は、参加型番組通信装置１４に伝えられる（ＳＡ０４）。参加型番組通信装置１４は、番組インデックス情報を受信し、図７のＳ０４において番組一覧表を表示する。
【００６８】
番組インデックス要求確認のＳＡ０１が否定される場合には、ＳＡ０６により視聴登録信号か否かが判断される。参加型番組通信装置１４のフローチャート図７のＳ０７より選択された番組の情報を含む視聴登録信号を受信すると、情報管理サーバ１２は、番組ＤＢ２０１より取り出した番組進行表２００を参加型番組通信装置１４に送信し（ＳＡ０７）、視聴者登録信号より視聴者情報を取り出し、参加者リストＤＢ２０４に登録する（ＳＡ０８）。一方、番組進行表２００を受信した参加型番組通信装置１４は、番組が放送中か否かを図７のＳ０８において判断し、放送中であれば、Ｓ０９で番組進行表２００を受信する。放送中でない場合は、番組進行表２００より、番組ＩＤを取りだし、受信予約として記憶する。
【００６９】
また、情報管理サーバ１２は受信した信号が、番組進行表２００の登録要求か否かを判断する（ＳＡ１０）。番組進行表２００登録要求は、参加型番組通信装置１４のフローチャート図７の番組作成者が番組の進行を決定した内容を記載した番組進行表２００を登録する操作情報管理サーバ１２に送られ（Ｓ２４）、この要求を受信した情報管理サーバ１２は、受信した番組進行表２００を番組ＤＢ２０１に登録する（ＳＡ１１）。
【００７０】
さらに、情報管理サーバ１２は、番組作成要求か否かを判断する（ＳＡ１３）。番組作成要求は、参加型番組通信装置１４のフローチャート図７のＳ２２において番組作成者が番組作成するかを判断をし、Ｓ２３の番組進行表２００の作成画面を表示し、番組進行表２００の作成操作を行う際に、情報管理サーバ１２に対して行われる。番組作成要求を受信した情報管理サーバ１２は、選択された番組種類に対応する番組進行表雛形データを番組進行表雛形ＤＢ２０２より取り出し、参加型番組通信装置に送信する（ＳＡ１５）。続いて、参加型番組通信装置のフローチャート図７のＳ２４での番組進行表２００の作成において使用する必要な素材を決定するための素材インデックスリストデータを素材インデックスリストＤＢ２０３より取り出し、参加型番組通信装置に送信する（ＳＡ１６）。
【００７１】
また、情報管理サーバ１２は、番組の放送開始か否かを判断し（ＳＡ２０）、参加型番組通信装置１４からの番組受信開始信号を受信する。参加型番組通信装置１４からの信号を受信すると、番組ＤＢ２０１および番組参加者リストＤＢ２０４より、最新の番組進行表２００および視聴者リストを参加型番組通信装置１４に送信する（ＳＡ２１）。参加型番組通信装置１４のフローチャート図７では、Ｓ０９、Ｓ３１において、これらの情報を受信し、番組を構成する。
【００７２】
一方、情報管理サーバ１２は、番組の素材を提供する素材サーバ１８からの素材インデックス登録信号の有無を判断する（ＳＡ２４）。素材サーバ１８からの素材インデックス登録信号を受信すると、素材インデックスリストＤＢにその内容を登録する（ＳＡ２５）。登録された素材インデックス情報は、ＳＡ１６において参加型番組通信装置１４に対して番組の作成のために送信される。
【００７３】
以上、情報管理サーバ１２の動作を説明したが、これらの動作は複数のサーバや、代表となる参加型番組通信装置１４において行われてもよい。
【００７４】
次に、素材サーバ１８の動作を、フローチャート図９により説明する。該素材サーバ１８は、該通信網１０からの信号を監視し、受信の有無を判断する（ＳＢ０１）。受信が無い場合は、サーバに対する操作の有無が確認されるが（ＳＢ０５）、受信があった場合は、参加型番組通信装置１４からの素材送信要求か否かが判断される（ＳＢ０２）。素材送信要求でない場合は、その他の操作が確認されるが（ＳＢ０６）、素材送信要求の場合は、要求された素材データを該通信網１０に送信する（ＳＢ０３）。送信された素材データは、該通信網１０を介して参加型番組通信装置１４により受信され、番組を構成する。
【００７５】
該素材サーバ１８に対する操作の確認により（ＳＢ０５）、登録操作であることが確認された場合は、その操作が素材データの登録操作か、素材インデックス情報の登録操作かが判断される（ＳＢ０８）。該素材データ登録操作の場合は、登録された素材データを素材ＤＢ２０６に登録する（ＳＢ０９）。
該素材インデックス情報登録操作であるか否かを判断し（ＳＢ１１）、素材インデックス情報登録操作である場合は、素材インデックス情報を素材インデックス情報ＤＢ２０７に登録する（ＳＢ１３）。素材インデックス登録操作で無い場合は、その他の操作を実行する（ＳＢ１５）。
【００７６】
なお、該素材サーバ１８の機能は、参加型番組通信装置１４に付加されてもよく、番組の視聴者からの素材データの提供により、番組を構成することも可能である。
【００７７】
以上のような動作により、利用者が番組を作成発信可能な双方向放送システムが実現できる一例を説明したが、各々のサーバや参加型番組通信装置の機能や役割については、この発明の実施において、この特許請求の範囲で変更して実施可能である。
【図面の簡単な説明】
【００７８】
【図１】は、この発明に係る視聴者が番組を作成発信可能な双方向放送システム構成図である。
【図２】は、図１の双方向放送システムに用いられる参加型番組通信装置の構成を示すブロック線図である。
【図３】は、この発明のシステムを構成する装置の概略の機能と情報の説明図である。
【図４】は、この発明に使用する参加型番組通信装置の機能ブロック線図である。
【図５】は、この発明に使用する情報管理サーバの機能ブロック線図である。
【図６】は、この発明に使用する素材サーバの機能ブロック線図である。
【図７】は、この発明に使用する参加型番組通信装置のフローチャートである。
【図８】は、この発明に使用する情報管理サーバのフローチャートである。
【図９】は、この発明に使用する素材サーバのフローチャートである。
【図１０】は、この発明に使用する参加型番組通信装置の使用開始時の画面の一例である。
【図１１】は、この発明に使用する参加型番組通信装置の番組受信中の画面の一例である。
【図１２】は、この発明に使用する参加型番組通信装置の番組進行表作成の画面の一例である。
【図１３】は、この発明に使用する参加型番組通信装置の番組進行中の画面の一例である。
【図１４】は、この発明に使用する番組進行表の構造図の一例である。
【図１５】は、この発明に使用する登録参加者リストの構造図の一例である。
【符号の説明】
【００７９】
１０      通信網；
１２      情報管理サーバ；
１４      参加型番組通信装置；
１５      中継装置；
１６      ブロードバンド回線；
１８      素材サーバ。
【図１】
2005191968.tif 000003
【図２】
2005191968.tif 000004
【図３】
2005191968.tif 000005
【図４】
2005191968.tif 000006
【図５】
2005191968.tif 000007
【図６】
2005191968.tif 000008
【図７】
2005191968.tif 000009
【図８】
2005191968.tif 000010
【図９】
2005191968.tif 000011
【図１０】
2005191968.tif 000012
【図１１】
2005191968.tif 000013
【図１２】
2005191968.tif 000014
【図１３】
2005191968.tif 000015
【図１４】
2005191968.tif 000016
【図１５】
2005191968.tif 000017